(57)【特許請求の範囲】
【請求項１】
放射能測定用試料または標準線源を収容する測定用容器を放射線検出器のエンドキャップに対して位置決め固定する放射能測定用容器設置治具であって、
前記測定用容器の先端部の外周面を位置決めする第１部位と、
前記測定用容器の先端部の先端面を位置決めする第２部位と、
前記エンドキャップの外周面によって位置決めされる第３部位と、
を備える、
ことを特徴とする放射能測定用容器設置治具。
【請求項２】
前記第２部位は、
前記測定用容器の先端面の一部を露出させる開口部を備える、
ことを特徴とする請求項１に記載の放射能測定用容器設置治具。
【請求項３】
前記第２部位を介して前記測定用容器を前記エンドキャップの先端に向かって押す押圧部材を備える、
ことを特徴とする請求項１または請求項２に記載の放射能測定用容器設置治具。
【請求項４】
前記第２部位を介して前記測定用容器を前記エンドキャップの先端に向かって押す押圧力を発生する弾性部材が取り付けられる取付部を備える、
ことを特徴とする請求項１または請求項２に記載の放射能測定用容器設置治具。
【請求項５】
前記第１部位、前記第２部位、および前記第３部位は、
前記エンドキャップに対する前記測定用容器の位置決めを維持しながら前記測定用容器および前記エンドキャップから取り外し可能である、  
ことを特徴とする請求項１から請求項４の何れか１つに記載の放射能測定用容器設置治具。
【請求項６】
請求項１から請求項５の何れか１つに記載の放射能測定用容器設置治具を用いて、前記標準線源が収容された前記測定用容器を前記放射線検出器のエンドキャップに対して位置決め固定し、
前記標準線源を用いて前記放射線検出器の効率較正を行なう、
ことを特徴とする放射線検出器の効率較正方法。
【請求項７】
前記標準線源の形状は前記放射能測定用試料の形状と同一である、
ことを特徴とする請求項６に記載の放射線検出器の効率較正方法。
【請求項８】
請求項６または請求項７に記載の放射線検出器の効率較正方法によって効率較正が行われる放射線検出器を備え、
前記放射線検出器は、
請求項１から請求項５の何れか１つに記載の放射能測定用容器設置治具によって前記放射線検出器のエンドキャップに対して位置決め固定された前記測定用容器に収容されている前記放射能測定用試料から放出される放射線を検出する、
ことを特徴とする放射能測定装置。
【発明の詳細な説明】
【技術分野】
【０００１】
この発明は、放射能測定用容器設置治具、放射線検出器の効率較正方法、および放射能測定装置に関する。
【背景技術】
【０００２】
従来、例えば各種の放射能測定用試料を内部に収容した測定用容器を、放射線検出器のエンドキャップ上に固定するための試料ホルダが知られている（例えば、非特許文献１参照）。
【先行技術文献】
【非特許文献】
【０００３】
【非特許文献１】「放射能測定法シリーズ  ７  ゲルマニウム半導体検出器によるガンマ線スペクトロメトリー」、文部科学省、平成４年、ｐ.１１０−１１１
【発明の概要】
【発明が解決しようとする課題】
【０００４】
ところで、上記従来技術に係る試料ホルダを用いて放射線検出器のエンドキャップ上に測定用容器を固定する際に、試料と検出器有感部分との間に試料ホルダの一部が介在すると、試料からの放射線が吸収されるという問題が生じる。このような問題に対して、試料ホルダを用いて放射線検出器のエンドキャップ上に測定用容器を固定する際に、試料と検出器有感部分との間に試料ホルダによる放射線の吸収体が存在することを防ぐことが望まれている。
【０００５】
本発明は上記事情に鑑みてなされたもので、試料からの放射線の吸収を抑制しつつ測定用容器を放射線検出器のエンドキャップに対して適正に位置決め固定することが可能な放射能測定用容器設置治具、放射線検出器の効率較正方法、および放射能測定装置を提供することを目的としている。
【課題を解決するための手段】
【０００６】
上記課題を解決して係る目的を達成するために、本発明は以下の態様を採用した。
（１）本発明の一態様に係る放射能測定用容器設置治具は、放射能測定用試料を収容する測定用容器を放射線検出器のエンドキャップに対して位置決め固定する放射能測定用容器設置治具であって、前記測定用容器の先端部の外周面を位置決めする第１部位と、前記測定用容器の先端部の先端面を位置決めする第２部位と、前記エンドキャップの外周面によって位置決めされる第３部位と、を備える。
【０００７】
（２）上記（１）に係る放射能測定用容器設置治具では、前記第２部位は、前記測定用容器の先端面の一部を露出させる開口部を備える。
【０００８】
（３）上記（１）または（２）に係る放射能測定用容器設置治具では、前記第２部位を介して前記測定用容器を前記エンドキャップの先端に向かって押す押圧部材を備える。
【０００９】
（４）上記（１）または（２）に係る放射能測定用容器設置治具では、前記第２部位を介して前記測定用容器を前記エンドキャップの先端に向かって押す押圧力を発生する弾性部材が取り付けられる取付部を備える。
【００１０】
（５）上記（１）から（４）の何れか１つに記載の放射能測定用容器設置治具では、前記第１部位、前記第２部位、および前記第３部位は、前記エンドキャップに対する前記測定用容器の位置決めを維持しながら前記測定用容器および前記エンドキャップから取り外し可能である。
【００１１】
（６）本発明の一態様に係る放射線検出器の効率較正方法は、上記（１）から（５）の何れか１つに記載の放射能測定用容器設置治具を用いて、前記標準線源が収容された前記測定用容器を前記放射線検出器のエンドキャップに対して位置決め固定し、前記標準線源を用いて前記放射線検出器の効率較正を行なう。
【００１２】
（７）上記（６）に係る放射線検出器の効率較正方法では、前記標準線源の形状は前記放射能測定用試料の形状と同一である。
【００１３】
（８）本発明の一態様に係る放射能測定装置は、上記（６）または（７）に記載の放射線検出器の効率較正方法によって効率較正が行われる放射線検出器を備え、前記放射線検出器は、上記（１）から（５）の何れか１つに記載の放射能測定用容器設置治具によって前記放射線検出器のエンドキャップに対して位置決め固定された前記測定用容器に収容されている前記放射能測定用試料から放出される放射線を検出する。
【発明の効果】
【００１４】
上記（１）に記載の態様に係る放射能測定用容器設置治具によれば、測定用容器内に収容される放射能測定用試料または標準線源とエンドキャップの先端との間に、放射線の吸収体となる部位が設けられることを防ぐことができる。これにより、放射能測定用試料または標準線源からの放射線が吸収されること抑制しつつ、測定用容器をエンドキャップに対して位置決め固定することができる。
【００１５】
上記（２）に記載の態様に係る放射能測定用容器設置治具によれば、測定用容器をエンドキャップに対して位置決め固定した後に、開口部から測定用容器の先端部を押さえつけながらエンドキャップに対する測定用容器の位置決めを維持することができる。これにより、エンドキャップに対する測定用容器の位置決めを維持しつつ、放射能測定用容器設置治具を測定用容器から取り外すことができる。放射能測定用容器設置治具を取り外すことにより、放射能測定用試料または標準線源からの放射線を放射線検出器によって測定する際に、放射能測定用容器設置治具による放射線の散乱を防ぐことができる。
【００１６】
上記（３）または（４）に記載の態様に係る放射能測定用容器設置治具によれば、例えば測定用容器が汚染防止用に包装されている場合などにおいて、測定用容器が浮き上がりなどによってエンドキャップの先端から離れてしまうことを防止することができる。
【００１７】
上記（５）に記載の態様に係る放射能測定用容器設置治具によれば、エンドキャップに対する測定用容器の位置決めを維持しつつ、放射能測定用容器設置治具による放射線の散乱を防ぐことができる。
【００１８】
上記（６）または（７）に記載の態様に係る放射線検出器の効率較正方法によれば、放射能測定用試料の測定時と同等の条件で効率較正を行なうことができる。
【００１９】
上記（８）に記載の態様に係る放射能測定装置によれば、放射能測定用試料の放射能測定精度を向上させることができる。
【図面の簡単な説明】
【００２０】
【図１】本発明の実施形態に係る放射能測定用容器設置治具の断面図。
【図２】本発明の実施形態に係る放射能測定用容器設置治具の断面図。
【図３】本発明の実施形態に係る放射能測定用容器設置治具の斜視図。
【図４】本発明の実施形態に係る放射能測定用容器設置治具を取り外す工程を示す図。
【図５】本発明の実施形態の第１の変形例に係る放射能測定用容器設置治具の断面図。
【図６】本発明の実施形態の第２の変形例に係る放射能測定用容器設置治具の断面図。
【発明を実施するための形態】
【００２１】
以下、本発明の一実施形態に係る放射能測定用容器設置治具、放射線検出器の効率較正方法、および放射能測定装置について添付図面を参照しながら説明する。
【００２２】
実施形態による放射能測定用容器設置治具１０は、図１から図３に示すように、治具本体１１と、錘部材１２と、を備えている。放射能測定用容器設置治具１０は、放射能測定用試料または標準線源を収容する測定用容器１３を放射線検出器１４のエンドキャップハウジング１５に対して位置決め固定する。
放射線検出器１４は、測定用容器１３がエンドキャップハウジング１５に対して位置決めされた後に、測定用容器１３の放射能測定用試料または標準線源から放出される放射線を検出する。
【００２３】
測定用容器１３は、有底円筒型の容器本体３１と、容器本体３１の開口端を覆う蓋体３２と、を備えている。容器本体３１は、内部に放射能測定用試料または標準線源を収容する。蓋体３２は、例えばスクリューキャップまたはツイストキャップなどである。蓋体３２は、容器本体３１の先端側の外周面上に設けられるねじ山に巻き締めされることによって容器本体３１に装着される。
測定用容器１３は、例えば、汚染防止用の袋３３によって包装されている。
【００２４】
放射線検出器１４は、例えばゲルマニウム半導体検出器やシリコン半導体検出器などの半導体検出器である。放射線検出器１４は、垂直型のクライオスタット（図示略）において、放射線の入射窓（図示略）を有するエンドキャップハウジング１５の内部の真空領域に、放射線に対して有感なゲルマニウム結晶やシリコン結晶などの半導体結晶（図示略）を保持している。クライオスタットの内部は、デュワー（図示略）の内部に貯溜される液体窒素に浸漬される銅からなる冷却棒（図示略）との熱的な接触により冷却されている。半導体結晶に形成された結晶電極（図示略）はエンドキャップハウジング１５の内部に収容された電荷型前置増幅器（図示略）に接続されている。電荷型前置増幅器は半導体結晶に入射した放射線のエネルギーに応じた波高値を有する出力信号パルスを外部に露出した出力端子（図示略）から出力する。
放射線検出器１４は、エンドキャップハウジング１５の先端部を収容する有底円筒型の保護カバー４１を備えている。保護カバー４１は、エンドキャップハウジング１５の先端面１５Ａおよび外周面１５Ｂに接触する内面４１Ａを備えている。
【００２５】
放射能測定用容器設置治具１０は、測定用容器１３の底面１３Ａを保護カバー４１の先端面４１Ｂに押し付けるようにして、測定用容器１３をエンドキャップハウジング１５に対して位置決め固定する。
治具本体１１は、有底円筒型に形成されている。治具本体１１は、円筒状の第１部位２１と、円板状の第２部位２２と、第２部位２２に設けられる開口部２３と、第１部位２１よりも大きな円筒状の第３部位２４と、を備えている。
【００２６】
第１部位２１は、測定用容器１３の先端部を成す蓋体３２の外周面３２Ａよりも僅かに大きな内周面２１Ａを備えている。第１部位２１は、袋３３を介して蓋体３２の外周面３２Ａを保持することにより、外周面３２Ａを位置決めする。
第２部位２２は、測定用容器１３の先端部を成す蓋体３２の先端面３２Ｂよりも僅かに大きな表面２２Ａを備えている。第２部位２２は、袋３３を介して蓋体３２の先端面３２Ｂをエンドキャップハウジング１５の先端面１５Ａに向かって押すことにより、先端面３２Ｂを位置決めする。第２部位２２は、蓋体３２の先端面３２Ｂの一部を露出させる開口部２３を備えている。開口部２３は、先端面３２Ｂの外径よりも小さな内径の内周面２３Ａを備えている。開口部２３は、例えば、袋３３の結び目などを収容する。
第３部位２４は、第１部位２１と同軸に設けられ、保護カバー４１の外周面４１Ｃよりも僅かに大きな内周面２４Ａを備えている。第３部位２４は、保護カバー４１の外周面４１Ｃを保持することにより、保護カバー４１を介してエンドキャップハウジング１５の外周面１５Ｂによって位置決めされる。
【００２７】
錘部材１２の外形は、円板状に形成されている。錘部材１２は、治具本体１１の先端面１１Ａ上に載置されることによって、第２部位２２を介して測定用容器１３をエンドキャップハウジング１５の先端面１５Ａに向かって押す。錘部材１２は、第２部位２２の開口部２３に臨んで接続される開口部１２ａを備えている。
【００２８】
以下、実施形態の放射能測定用容器設置治具１０を用いて測定用容器１３をエンドキャップハウジング１５に対して位置決めする方法について説明する。
【００２９】
先ず、図３に示すように、袋３３によって包装された測定用容器１３を、エンドキャップハウジング１５の保護カバー４１の先端面４１Ｂ上に載置する。そして、放射能測定用容器設置治具１０の治具本体１１を、測定用容器１３の先端側から保護カバー４１に装着する。このとき、図２に示すように、治具本体１１の第１部位２１によって蓋体３２の外周面３２Ａを保持する。さらに、第２部位２２によって蓋体３２の先端面３２Ｂをエンドキャップハウジング１５の先端面１５Ａに向かって押す。さらに、第３部位２４によって保護カバー４１の外周面４１Ｃを保持する。また、袋３３の結び目などを開口部２３に配置する。
次に、必要に応じて、錘部材１２を治具本体１１の先端面１１Ａ上に載置してもよい。例えば、測定用容器１３が袋３３によって包装され、袋３３のたわみ具合などによって測定用容器１３が保護カバー４１の先端面４１Ｂから浮き上がる場合に錘部材１２を用いる。このとき、袋３３の結び目などを開口部１２ａに配置する。したがって、例えば、測定用容器１３が袋３３によって包装されていない場合には、錘部材１２を用いなくてよい。
【００３０】
さらに、測定用容器１３の放射能測定用試料または標準線源から放出される放射線を放射線検出器１４によって検出することに先立って、必要に応じて、放射能測定用容器設置治具１０を測定用容器１３から取り外す。
この場合、先ず、錘部材１２を治具本体１１の先端面１１Ａ上に載置していれば、錘部材１２を治具本体１１の先端面１１Ａ上から取り外す。
次に、図４に示すように、操作者の手指などによって開口部２３から蓋体３２を押さえつけながら、治具本体１１を測定用容器１３の先端側外方に向かい移動させる。この動作に対応して、例えば、治具本体１１の軸方向において、第１部位２１と測定用容器１３とが重なり合う長さＬ１に比べて、第３部位２４と保護カバー４１とが重なり合う長さＬ２が、より長く形成されていてもよい。この場合には、先ず、第１部位２１による蓋体３２の保持が解消され、次に、第３部位２４による保護カバー４１の保持が解消される。
【００３１】
以下、実施形態の放射能測定用容器設置治具１０を用いて放射能測定用試料の放射能を測定する放射能測定装置５０について説明する。
実施形態による放射能測定装置５０は、図１に示すように、放射能測定用容器設置治具１０によって位置決めされる測定用容器１３と、放射線検出器１４と、を備えている。
この放射能測定装置５０は、測定用容器１３に収容された標準線源を用いて、放射線検出器１４の効率較正を行なう。標準線源の形状は、例えば、放射能測定用試料の形状と同一とされる。放射線検出器１４は、放射能測定用容器設置治具１０によってエンドキャップハウジング１５に対して位置決め固定される測定用容器１３に収容された標準線源からの放射線を検出する。放射能測定装置５０は、標準線源を用いて効率較正を行う場合と同様に、放射能測定用容器設置治具１０によってエンドキャップハウジング１５に対して位置決め固定される測定用容器１３に収容された放射能測定用試料からの放射線を放射線検出器１４により検出する。放射能測定装置５０は、放射能測定用試料からの放射線を、標準線源によって効率較正された放射線検出器１４により測定することによって、放射能測定用試料の放射能を測定する。
【００３２】
上述したように、本実施形態による放射能測定用容器設置治具１０によれば、測定用容器１３内に収容される放射能測定用試料または標準線源とエンドキャップハウジング１５の先端面１５Ａとの間に、放射線の吸収体となる部位が設けられることを防ぐことができる。これにより、放射能測定用試料または標準線源からの放射線が吸収されること抑制しつつ、測定用容器１３をエンドキャップハウジング１５に対して位置決め固定することができる。
さらに、測定用容器１３をエンドキャップハウジング１５に対して位置決め固定した後に、治具本体１１の開口部２３から測定用容器１３の先端部を押さえつけながらエンドキャップハウジング１５に対する測定用容器１３の位置決めを維持することができる。これにより、エンドキャップハウジング１５に対する測定用容器１３の位置決めを維持しつつ、治具本体１１を測定用容器１３から取り外すことができる。放射能測定用容器設置治具１０を取り外すことにより、放射能測定用試料または標準線源からの放射線を放射線検出器１４によって測定する際に、放射能測定用容器設置治具１０による放射線の散乱を防ぐことができる。
さらに、測定用容器１３が汚染防止用に包装されている場合などにおいて、測定用容器１３が浮き上がりなどによってエンドキャップハウジング１５の先端面１５Ａから離れてしまうことを防止することができる。
【００３３】
また、本実施形態による放射線検出器１４の効率較正方法によれば、放射能測定用試料の測定時と同等の条件で効率較正を行なうことができる。
また、本実施形態による放射能測定装置５０によれば、放射能測定用試料の放射能測定精度を向上させることができる。
【００３４】
以下に、上述した実施形態の第１の変形例について説明する。
第１の変形例の放射能測定用容器設置治具１０は、図５に示すように、上述した実施形態の錘部材１２の代わりに、治具本体１１の先端部に取付部２５を備えている。
取付部２５の外形は、例えば鉤状に形成されている。取付部２５は、第２部位２２を介して測定用容器１３をエンドキャップハウジング１５の先端面１５Ａに向かって押す押圧力を発生する弾性部材５０の第１端部５０ａを支持する。弾性部材５０は、例えばばねなどである。弾性部材５０の第２端部５０ｂは、放射線検出器１４をバックグラウンド放射線から遮蔽する箱型の放射線遮蔽体６０の内部の下面６０Ａなどに固定されている。放射線遮蔽体６０は、エンドキャップハウジング１５が挿入される貫通孔６０ａを鉛直方向の下部に備えている。
【００３５】
以下に、上述した実施形態の第２の変形例について説明する。
第２の変形例の放射能測定用容器設置治具１０は、図６に示すように、上述した第１の変形例の取付部２５の代わりに、取付部２６を有する装着部材２７を備えている。
取付部２６の外形は、例えば鉤状に形成されている。取付部２６は、第２部位２２を介して測定用容器１３をエンドキャップハウジング１５の先端面１５Ａに向かって押す押圧力を発生する弾性部材５０の第１端部５０ａを支持する。
装着部材２７の外形は、例えば円環板状に形成されている。装着部材２７は、治具本体１１の先端部において、先端面１１Ａおよび外周面１１Ｂに接触する表面２７Ａを備えている。装着部材２７は、治具本体１１の先端部に装着された状態で先端面１１Ａおよび外周面１１Ｂを保持する。
【００３６】
以下に、上述した実施形態の他の変形例について説明する。
上述した実施形態、第１の変形例、および第２の変形例において、袋３３は省略されてもよい。
上述した実施形態、第１の変形例、および第２の変形例において、錘部材１２、取付部２５、および装着部材２７は省略されてもよい。
【００３７】
本発明の実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００３８】
１０…放射能測定用容器設置治具、１１…治具本体、１２…錘部材、１３…測定用容器、１４…放射線検出器、１５…エンドキャップハウジング、２１…第１部位、２２…第２部位、２３…開口部、２４…第３部位、２５…取付部、２６…取付部、２７…装着部材、３１…容器本体、３２…蓋体、３３…袋、４１…保護カバー、５０…弾性部材
【図１】
0006350945.tif 000002
【図２】
0006350945.tif 000003
【図３】
0006350945.tif 000004
【図４】
0006350945.tif 000005
【図５】
0006350945.tif 000006
【図６】
0006350945.tif 000007